(57)【要約】【課題】回路基板上の端子板により通気が妨げられ、回路素子の放熱が速やかに行われない。【解決手段】ハウジング２上面に端子１を設け、ハウジング２を回路基板８に取付けて端子１の端子線５を回路基板８に接続する端子板１００であって、ハウジング２は、端子線５を覆う端子線カバー部４と、端子線カバー部４間に設けられたスリット形状の開口部３とを備える第一の面と、第一の面に対向し、全面が開口された第二の面と、からなることを特徴とする端子板１００。【選択図】図１
2011228152.tif 000002
【特許請求の範囲】
【請求項１】
ハウジング上面に端子を設け、前記ハウジングを回路基板に取付けて前記端子の端子線を前記回路基板に接続する端子板であって、
前記ハウジングは、
前記端子線を覆う端子線カバー部と、前記端子線カバー部間に設けられたスリット形状の開口部とを備える第一の面と、
前記第一の面に対向し、全面が開口された第二の面と、からなる
ことを特徴とする端子板。
【請求項２】
ハウジング上面に端子を設け、前記ハウジングを回路基板に取付けて前記端子の端子線を前記回路基板に接続する端子板であって、
前記ハウジングは、
全面が開口された第一の面と、
前記第一の面に対向し、全面が開口された第二の面と、
前記端子線を覆い、前記第一の面および前記第二の面と垂直に一体形成される第三の面と、からなる
ことを特徴とする端子板。
【請求項３】
前記ハウジングは、さらに、
前記端子線を覆い、前記第三の面に対向し、前記第一の面および前記第二の面と垂直に一体形成される第四の面と、からなる
ことを特徴とする請求項２記載の端子板。
【発明の詳細な説明】
【技術分野】
【０００１】
本発明は、端子を備える端子板に関し、特に端子板の放熱構造に関するものである。
【背景技術】
【０００２】
昨今、テレビ受像機などの製品における基板サイズの縮小化のため部品実装密度が上がり、端子板などの大型部品の影響で通風が十分に確保できず、大型の放熱板が必要になるなどコストにも影響がでてきている。
【０００３】
図１２は、従来の端子板３００の（ａ）前面から見た斜視図（ｂ）背面から見た斜視図である。
【０００４】
従来の端子板３００は、複数の端子１と、複数の端子１をその上面に備えるハウジング２２と、ハウジング２２の前面に設けられその端部がハウジング２２の下面から露見した端子１の端子線２５（信号線またはグランド線）と、係止爪９とからなる。端子板３００は、係止爪９を回路基板（図示せず）に嵌め込み係止することにより取付けられるとともに、端子線２５を回路基板に挿入しその端を半田付けすることで、回路基板に固定される。
【０００５】
図１３は、従来の端子板３００を回路基板８に設置した際の空気の流れを示す図である。
【０００６】
回路基板８上には、端子板３００と、端子板３００の周辺に回路素子７とが設置されており、回路基板８がテレビ受像機等の製品に取付けられた状態で、端子板３００が回路素子７の下方に来るように設置されている。このように端子板３００および回路素子７が設置された際の空気の流れ２０が示されている。
【先行技術文献】
【特許文献】
【０００７】
【特許文献１】特開平１０−７９２７８号公報
【発明の概要】
【発明が解決しようとする課題】
【０００８】
図１３に示すように、回路基板８は地面に対して垂直に設置されているので、温度の高い空気が下から上へ通り抜ける。その際、端子板３００により通気が妨げられ、回路素子７の放熱が速やかに行われない。そのため回路素子７に放熱板（図示せず）を取り付け、放熱を促す必要があるなどコストにも大きな影響がでている。
【課題を解決するための手段】
【０００９】
本発明に係わる端子板は、ハウジング上面に端子を設け、前記ハウジングを回路基板に取付けて前記端子の端子線を前記回路基板に接続する端子板であって、前記ハウジングは、前記端子線を覆う端子線カバー部と、前記端子線カバー部間に設けられたスリット形状の開口部とを備える第一の面と、前記第一の面に対向し、全面が開口された第二の面と、からなることを特徴とする。
【００１０】
本発明に係わる端子板によれば、端子板のハウジングに、スリット形状の開口部を備える第一の面と、第一の面に対向し全面が開口された第二の面とを設けることで空気の流れを速やかにし、端子板周辺に配置された回路素子等の放熱効果を良好にすることが可能となる。
【００１１】
また、本発明に係わる端子板は、ハウジング上面に端子を設け、前記ハウジングを回路基板に取付けて前記端子の端子線を前記回路基板に接続する端子板であって、前記ハウジングは、全面が開口された第一の面と、前記第一の面に対向し、全面が開口された第二の面と、前記端子線を覆い、前記第一の面および前記第二の面と垂直に一体形成される第三の面と、からなることを特徴とする。
【００１２】
また、本発明に係わる端子板は、前記ハウジングは、さらに、前記端子線を覆い、前記第三の面に対向し、前記第一の面および前記第二の面と垂直に一体形成される第四の面と、からなることを特徴とする。
【００１３】
本発明に係わる端子板によれば、端子板のハウジングに、全面が開口された第一の面と、第一の面に対向し全面が開口された第二の面とを設けることで空気の流れをより速やかにし、端子板周辺に配置された回路素子等の放熱効果をより良好にすることが可能となる。
【発明の効果】
【００１４】
本発明に係わる端子板によれば、端子板のハウジングに、スリット形状の開口部を備える第一の面と、第一の面に対向し全面が開口された第二の面とを設けることで空気の流れを速やかにし、端子板周辺に配置された回路素子等の放熱効果を良好にすることが可能となる。
【００１５】
また、本発明に係わる端子板によれば、端子板のハウジングに、全面が開口された第一の面と、第一の面に対向し全面が開口された第二の面とを設けることで空気の流れをより速やかにし、端子板周辺に配置された回路素子等の放熱効果をより良好にすることが可能となる。
【図面の簡単な説明】
【００１６】
【図１】本発明の実施例１に係わる端子板の（ａ）前面から見た斜視図（ｂ）背面から見た斜視図
【図２】本発明の実施例１に係わる端子板の上面図
【図３】本発明の実施例１に係わる端子板の前面図
【図４】本発明の実施例１に係わる端子板の背面図
【図５】本発明の実施例１に係わる端子板の（ａ）右側面図（ｂ）左側面図
【図６】本発明の実施例２に係わる端子板の前面から見た斜視図
【図７】本発明の実施例２に係わる端子板の上面図
【図８】本発明の実施例２に係わる端子板の前面図
【図９】本発明の実施例２に係わる端子板の背面図
【図１０】本発明の実施例２に係わる端子板の（ａ）右側面図（ｂ）左側面図
【図１１】本発明の実施例１および実施例２に係わる端子板を回路基板上に設置した際の空気の流れを示す図
【図１２】従来の端子板の（ａ）前面から見た斜視図（ｂ）背面から見た斜視図
【図１３】従来の端子板を回路基板上に設置した際の空気の流れを示す図
【発明を実施するための形態】
【００１７】
以下本発明を実施するための形態について、図面を参照しながら説明する。
【実施例１】
【００１８】
図１から図５は、本発明の実施例１に係わる端子板１００の各図である。
【００１９】
図１は、端子板１００の（ａ）前面から見た斜視図（ｂ）背面から見た斜視図、図２は端子板１００の上面図、図３は端子板１００の前面図、図４は端子板１００の背面図、図５は端子板１００の（ａ）右側面図（ｂ）左側面図である。
【００２０】
端子１は、外部からの映像信号、音声信号、輝度信号、色差信号をそれぞれ回路基板（図示せず）上に取り込むピンジャックであり、ハウジング２の上面に複数個（複数行、複数列）配置されている。
【００２１】
ハウジング２は、樹脂から成り、その上面に端子１を複数個（複数行、複数列）配置し、回路基板上（図示せず）に取り付けられる。またハウジング２は、前面の一部、背面全面が開口されており、側面は開口されていない。ハウジング２の前面は、前面開口部３と端子線カバー部４とから構成され、交互に複数部ずつ配置されることにより、スリット状に開口され、外部との空気の吸排気が可能な構造となっている。ハウジング２の背面は背面開口部６から構成され、ハウジング２の前面同様、外部との空気の吸排気が可能な構造となっている。
【００２２】
端子１の端子線５は、外部からの映像信号、音声信号、輝度信号、色差信号をそれぞれ回路基板上に取り込む信号線または、回路基板上のグランドと外部から取り込むそれぞれの信号のグランドを接続するグランド線である。端子線５は、複数本を１つの束として所定の間隔でハウジング２の前面に設けられ、その端部をハウジング２の下方から露見するようにハウジング２の端子線カバー部４で覆われている。端子板１００は、ハウジング２の端子線５の端部が回路基板に挿入された状態で半田付けされることにより回路基板に固定される。
【００２３】
回路素子７は、外部から取り込まれた信号の処理等を行う素子で、回路基板上に複数個設置されており、この回路素子７が動作中にそれぞれ熱を発生させることが、放熱対策が必要な要因となっている。
【００２４】
図１１は、本発明の実施例１に係わる端子板１００を回路基板８上に設置した際の空気の流れを示す図である。回路基板８上には、端子板１００と、端子板１００の周辺に回路素子７とが設置されており、回路基板８がテレビ受像機などの製品に取付けられた状態で、端子板１００が回路素子７の下方に来るように設置されている。このように端子板１００および回路素子７が設置された際の空気の流れ１０が示されている。空気の流れ１０が示すように、温度の高い空気は、端子板１００でその流れを妨げられることなく、前面開口部３から背面開口部６を通って、下から上へ速やかに流れることが可能となる。なお、端子板１００の側面が開口されていないことにより、温度の高い空気の下から上への流れは妨げられない。
【００２５】
以上、本発明に係わる端子板によれば、端子板のハウジングに、スリット形状の開口部を備える第一の面と、第一の面に対向し全面が開口された第二の面とを設けることで空気の流れを速やかにし、端子板周辺に配置された回路素子等の放熱効果を良好にすることが可能となる。
【実施例２】
【００２６】
図６から図１０は、本発明の実施例２に係わる端子板２００の各図である。
【００２７】
図６は端子板２００の前面から見た斜視図、図７は端子板２００の上面図、図８は端子板２００の前面図、図９は端子板２００の背面図、図１０は端子板２００の（ａ）右側面図（ｂ）左側面図である。
【００２８】
本発明の実施例２に係わる端子板２００が、実施例１に係わる端子板１００と異なる点は、ハウジング１２の前面に全面が開口された前面開口部１３を備える点、端子１の端子線１５をハウジング１２の両側面に備える点である。
【００２９】
図１１は、本発明の実施例２に係わる端子板２００を回路基板８上に設置した際の空気の流れを示す図である。回路基板８上には、端子板２００の周辺に回路素子７とが設置されており、回路基板８がテレビ受像機などの製品に取付けられた状態で、端子板２００が回路素子７の下方に来るように設置されている。このように端子板２００および回路素子７が設置された際の空気の流れ１０が示されている。空気の流れ１０が示すように、温度の高い空気は、端子板２００でその流れを妨げられることなく、前面開口部１３から背面開口部６を通って、下から上へ速やかに流れることが可能となる。前面開口部１３はハウジング１２前面が全面開口されているので、端子板２００は、実施例１に係わる端子板１００と比べ、空気の流れがより速やかとなり、端子板２００周辺に配置された回路素子７等の放熱効果をより良好にすることが可能となる。なお、端子板２００の側面が開口されていないことにより、温度の高い空気の下から上への流れは妨げられない。
【００３０】
以上、本発明に係わる端子板によれば、端子板のハウジングに、全面が開口された第一の面と、第一の面に対向し全面が開口された第二の面とを設けることで空気の流れをより速やかにし、端子板周辺に配置された回路素子等の放熱効果をより良好にすることが可能となる。
【００３１】
なお、本実施例では、端子板２００が、端子１の端子線１５をハウジング１２の両側面に備えるとしたが、端子線１５はハウジング１２の一方の側面にのみ備える構成であっても良い。
【００３２】
なお、端子板２００と回路基板８が接触する端子板２００の４辺の内、両側面の端子線１５を回路基板８に挿入し半田付けにより固定することで、端子板２００の回路基板８への取付け強度が増すことにより、従来の端子板３００が備える係止爪９および回路基板８に係止爪９を取付けるための取り付け穴（図示せず）が不要となり、コスト削減や製造工程削減といった効果を得ることも可能となる。
【産業上の利用可能性】
【００３３】
本発明は、端子板のハウジングに、スリット形状の開口部を備える第一の面と、第一の面に対向し全面が開口された第二の面とを設けることで空気の流れを速やかにし、端子板周辺に配置された回路素子等の放熱効果を良好にすることが可能となるので、端子板の放熱構造として有用である。
【符号の説明】
【００３４】
１    端子
２、１２、２２    ハウジング
３、１３    前面開口部
４    端子線カバー部
５、１５、２５    端子線
６    背面開口部
７    回路素子
８    回路基板
９    係止爪
１０、２０    空気の流れ
１００、２００、３００    端子板
【図１】
2011228152.tif 000003
【図２】
2011228152.tif 000004
【図３】
2011228152.tif 000005
【図４】
2011228152.tif 000006
【図５】
2011228152.tif 000007
【図６】
2011228152.tif 000008
【図７】
2011228152.tif 000009
【図８】
2011228152.tif 000010
【図９】
2011228152.tif 000011
【図１０】
2011228152.tif 000012
【図１１】
2011228152.tif 000013
【図１２】
2011228152.tif 000014
【図１３】
2011228152.tif 000015